(57)【特許請求の範囲】
【請求項１】
トークンから又はトークンを介して、少なくとも１つのアプリケーションにアクセスするための方法（５０）であって、
前記トークン（１４）は端末（１２）に接続され、前記端末は少なくとも１つのタッチ画面（１１２）を有し、
前記方法は、
前記トークンが、少なくとも１つの予め定められた入力タッチパターンに関するデータと、前記入力タッチパターンに関連付けられている少なくとも１つのコマンドに関するデータと、を前記端末に送り（５６）、
前記コマンドは、前記トークンから又はトークンを介してアクセス可能な少なくとも１つのアプリケーションのセットの表示を要求するため、又は、前記トークンから又はトークンを介してアクセス可能なアプリケーションの実行をトリガするために使用され、
前記端末は前記コマンドを前記トークンに送る（５１２又は５１８）ことを特徴とする方法。
【請求項２】
前記端末は、入力タッチパターンと前記トークンから又はトークンを介してアクセス可能な１つのアプリケーション又はアプリケーションのセットに関する少なくとも１つの受信した入力タッチパターンとを比較し（５８）、
比較の結果に基づいて、前記トークンに、前記トークンから又はトークンを介してアクセス可能な少なくとも１つのアプリケーションのセットの表示を要求するためのコマンド、又は、前記トークンから又はトークンを介してアクセス可能なアプリケーションの実行をトリガするためのコマンドを送信（５１２又は５１８）、又は、送信せず、
前記コマンドは、予め定められた入力タッチパターンに関連付けられていることを特徴とする請求項１に記載の方法。
【請求項３】
前記トークンが、前記トークンから又はトークンを介してアクセス可能な１つのアプリケーションの実行をトリガするためのコマンドを受信した場合、前記トークンが、前記トークンから又はトークンを介してアクセス可能なアプリケーションを実行することを特徴とする請求項１又は２に記載の方法。
【請求項４】
前記端末は外部サーバ（１８）に接続され、前記トークンが、前記端末を介して、前記外部サーバに、前記外部サーバが前記トリガされたアプリケーションをさらに実行することを許可する要求を送信することを特徴とする請求項１乃至３のいずれか１項に記載の方法。
【請求項５】
前記少なくとも１つのアプリケーションは、
ＳＩＭツールキットに関するアプリケーション、
前記トークンに埋め込まれたサーバからアクセス可能なアプリケーション、
前記トークンを介して前記端末に接続された外部サーバからアクセス可能なアプリケーション、
を含むことを特徴とする請求項１乃至４のいずれか１項に記載の方法。
【請求項６】
前記トークンが、前記トークンから又はトークンを介してアクセス可能な少なくとも１つのアプリケーションのセットの表示を要求するためのコマンドを受信した場合、前記トークンが、前記端末に、少なくとも１つのメニュー項目を表示させるためのコマンドを送信する（５１４）ことを特徴とする請求項１乃至５のいずれか１項に記載の方法。
【請求項７】
前記少なくとも１つのメニュー項目を表示させるためのコマンドに対する応答として、前記端末が、前記トークンに、前記少なくとも１つのメニュー項目のうちの１つの選択されたメニュー項目に関するアプリケーションの実行をトリガするためのコマンドを送信することを特徴とする請求項６に記載の方法。
【請求項８】
トークンから又はトークンを介して少なくとも１つのアプリケーションにアクセスするためのトークン（１４）であって、
前記トークンは少なくとも１つの外部エンティティ（１２）と協働することができ、
前記トークンは、データ格納手段（２４）と、データ処理手段（２２）と、前記外部エンティティと通信するための通信手段（２６）とを備え、
前記トークンは、前記外部エンティティに、少なくとも１つの予め定められた入力タッチパターンに関するデータと、前記入力タッチパターンに関連付けられている少なくとも１つのコマンドに関するデータとを送信するように構成され、
前記コマンドは、前記トークンから又はトークンを介してアクセス可能な少なくとも１つのアプリケーションのセットの表示を要求するためのコマンド、又は、前記トークンから又はトークンを介してアクセス可能なアプリケーションの実行をトリガするためのコマンドであり、前記各コマンドは前記トークンによって受信されることを特徴とするトークン。
【請求項９】
前記トークンがＳＩＭ型スマートカードであることを特徴とする請求項８に記載のトークン。
【請求項１０】
トークン（１４）から又はトークン（１４）を介して少なくとも１つのアプリケーションにアクセスするためのシステム（１０）であって、
前記システムは、トークン（１４）と、前記トークンと協働する端末（１２）とを備え、
前記トークンは、第１データ格納手段（２４）と、第１データ処理手段（２２）と、前記端末と通信するための第１通信手段（２６）とを備え、
前記端末は、少なくとも１つのタッチ画面（１１２）と、第２データ格納手段と、第２データ処理手段と、前記トークンと通信するための第２通信手段とを備え、
前記トークンは、少なくとも１つの予め定められた入力タッチパターンに関するデータと、
前記入力タッチパターンに関連付けられている少なくとも１つのコマンドに関するデータとを前記端末に送り、
前記コマンドは、前記トークンから又はトークンを介してアクセス可能な少なくとも１つのアプリケーションのセットの表示を要求する、又は、前記トークンから又はトークンを介してアクセス可能なアプリケーションの実行をトリガするためのコマンドであり、
前記各コマンドは前記トークンによって受信されるよう構成されることを特徴とするシステム（１０）。
【発明の詳細な説明】
【技術分野】
【０００１】
本発明は、一般に、トークンから又はトークンを介して１つのアプリケーション又はアプリケーションのセットにアクセスする方法に関する。
更に、本発明は、トークンから又はトークンを介して１つのアプリケーション又はアプリケーションのセットにアクセスするためのトークンに関する。
本明細書中において、トークンはホストデバイスと協働することを意図した携帯スマートオブジェクトである。
最後に、本発明は、トークンから又はトークンを介して１つのアプリケーション又はアプリケーションのセットにアクセスするための、トークン及びトークンと協働する端末からなるシステムに関する。
【背景技術】
【０００２】
本明細書中において、アプリケーションのセットへのアクセスとは、トークンからアクセス可能な少なくとも１つのアプリケーションの表示を要求する、という意味である。
本明細書中において、１つのアプリケーションへのアクセスとは、関係するアプリケーションの実行の開始を命令する、という意味である。
【０００３】
周知であるが、ユーザは、端末のディスプレイに表示されるＳＩＭメニューからユーザの選択した関連するアプリケーションを介して、ＳＩＭ（Subscriber Identity Module）型のスマートカードに埋め込まれたアプリケーション又はサービスにアクセスする。
しかし、そのような周知の解決策には、欠点がある。
実際、ユーザは、ＳＩＭメニューの中に存在しない、又は、ＳＩＭ型スマートカードからアクセスできないために、見つけられるかどうかわからないアプリケーション探すために、長く退屈なメニューをブラウズしなければならない。
【０００４】
さらに、特許文献１には、端末によって提供されるキーのシーケンスが端末ユーザによって押されると、アプリケーションのマネージャが起動し、ＳＩＭ型ツールキットアプリケーションのセットにアクセスできるという別の解決法が記載されている。
しかし、後者の周知の解決法にも欠点がある。
第１に、ユーザは、押すべきキーのシーケンスを覚えなければならない。
第２に、例え正しいキーのシーケンスを知っていても、ユーザは、ＳＩＭメニューのディスプレイとは関連していないが他の不要なアクションと関連する、誤ったキーのシーケンスを押すかもしれない。
【先行技術文献】
【特許文献】
【０００５】
【特許文献１】国際公開第２００８／０６２０９０号
【発明の概要】
【０００６】
本発明は、トークンから又はトークンを介して１つのアプリケーション又はアプリケーションのセットにアクセスする方法を提供することによって、そのような欠点を取り除く。トークンは端末に接続されている。端末は少なくとも１つのタッチ画面を備える。
本発明によれば、当該方法は、端末が、入力タッチパターンと、トークンからアクセス可能な１つのアプリケーション又はアプリケーションのセットに関する少なくとも１つの予め定められた入力タッチパターンとを比較するステップと、比較の結果に基づいて、端末が、トークンに、トークンからアクセス可能な少なくとも１つのアプリケーションのセットの表示を要求するためのコマンド、又は、トークンからアクセス可能なアプリケーションの実行をトリガするためのコマンドを、送信するステップ、又は、送信しないステップと、を含み、コマンドは一致する予め定められた入力タッチパターンと関連する。
【０００７】
本発明の原理は、ユーザが入力タッチパターンを入力できる画面を備えた端末が、ユーザによって入力された入力タッチパターンを検出し、トークンに、トークンによってサポートされているサービスの全部又は一部を示すことを要求するための、又は、トークンによって、又は、トークンを介して外部エンティティ（外部サーバ等）によってサポートされている所望のサービスを実行することを要求するための、対応する予め定められたコマンドを送信することにある。
【０００８】
提供される解決法によれば、ユーザは、トークンと協働する端末のタッチ画面を介してトークンとインタラクトすることが可能になる。
したがって、上述の第１の周知の解決法とは反対に、端末ユーザは、トークンによって提供される、又は、トークンからトリガされるトークンメニュー項目、又は、サービスにたどり着くために、メニューをブラウズする必要はない。
同様に、上述の第２の周知の解決法とは反対に、端末ユーザは、トークンによって提供される、又は、トークンからトリガされるトークンメニュー項目、又は、サービスにたどり着くために、特定のキーのシーケンスを知る必要はない。
【０００９】
提案されたこの解決法はしたがって、ユーザにとって便利なため、ユーザ・フレンドリであり、端末ユーザと、トークンにサポートされている又はトークンを介してアクセス可能なサービスとの間のインタラクションを容易にする。
提案されたこの解決法は、端末ユーザと、トークンにサポートされている又はトークンを介してアクセス可能なサービスとの間の双方向性手段の数を増加させる。
【００１０】
別の態様によれば、本発明は、トークンから又はトークンを介してアプリケーションにアクセスするためのトークンである。トークンは少なくとも１つのタッチ画面を備える少なくとも１つの外部エンティティと協働することができる。トークンは、データ格納手段と、データ処理手段と、外部エンティティと通信するための通信手段とを備える。
本発明によれば、トークンは、外部エンティティから、トークンからアクセス可能な少なくとも１つのアプリケーションのセットの表示を要求するためのコマンド、又は、トークンからアクセス可能なアプリケーションの実行をトリガするためのコマンドを受信するように構成され、コマンドは一致する予め定められた入力タッチパターンに関連する。
【００１１】
トークンは、少なくとも１つのマイクロプロセッサ、少なくとも１つのメモリ、又はメモリに接続されている、Ｉ／Ｏ通信インターフェースを含む、どんな電子デバイスであってもよい。トークンは、異なるフォームファクタを有する電子サポートを構成してもよい。例えば、ＵＳＢ（Universal Serial Bus）型のドングル、スマートカード、又は、ホストに着脱可能にリンクされるチップ等に統合されてもよい。
【００１２】
別の態様によれば、本発明は、トークンから又はトークンを介して１つのアプリケーションにアクセスするためのシステムである。システムは、トークン及びトークンと協働する端末からなる。トークンは、第１データ格納手段と、第１データ処理手段と、端末と通信するための第１通信手段とを備える。端末は、少なくとも１つのタッチ画面と、第２データ格納手段と、第２データ処理手段と、トークンと通信するための第２通信手段とを備える。
【００１３】
本発明によれば、端末は、入力タッチパターンと、トークンからアクセス可能な１つのアプリケーション又はアプリケーションのセットに関する少なくとも１つの予め定められた入力タッチパターンとを比較し、比較の結果に基づいて、トークンに、トークンからアクセス可能な少なくとも１つのアプリケーションのセットの表示を要求するためのコマンド、又は、前記トークンからアクセス可能なアプリケーションの実行をトリガするためのコマンドを、送信する、又は、送信しないように構成され、コマンドは一致する予め定められた入力タッチパターンと関連する。
端末として、例えば、トークンと協働することのできる、携帯電話、ＰＤＡ（Personal Digital Assistant）、パーソナルコンピュータ（PC）、又は、ポータブルラップトップがありうる。
【図面の簡単な説明】
【００１４】
本発明のさらなる特徴と有利な点は、例示的・非制限的な例としての本発明の好ましい実施形態の詳細な説明と以下の図を合わせて読めば、さらに明確に理解可能になるだろう。
【図１】電話使用者が少なくとも１つのタッチ画面を介して、スマートカード又は外部サーバに埋め込まれている一つ又は複数のアプリケーションと交信できるように構成されている、携帯電話と携帯電話に接続されたＳＩＭ型スマートカードからなる電子システムの実施形態の簡略図。
【図２】図１のターミナルである携帯電話に接続されるトークンである図１のスマートカードの実施形態の簡略図。
【図３】図２の携帯電話とスマートカードとの間のメッセージの流れの一例。
【図４】図２の携帯電話とスマートカードとの間のメッセージの流れの別の一例。
【図５】図２のスマートカードから又はスマートカードを介してアクセス可能な１つのアプリケーション又はアプリケーションのセットにアクセスするための例示的な方法のフローチャート。
【発明を実施するための形態】
【００１５】
以下、１つのアプリケーション又はアプリケーションのセットに、トークンから又はトークンを介してアクセスするための本発明の方法が、端末である携帯電話によって、トークンであるＳＩＭ型スマートカードと協働して実行される場合を検討する。
【００１６】
ＳＩＭ型スマートカードは、全てのＧＳＭ（Global System for Mobile communications）及びＵＭＴＳ（Universal Mobile Telecommunication System）ネットワーク携帯電話ユーザに付される固有の番号であるＩＭＳＩ（International Mobile Subscriber Identity)を安全に格納している。ＩＭＳＩは加入者を特定し、加入者が少なくとも１つの通信ネットワークを使用するために使用される。
ＳＩＭ型スマートカードは、例えば、ＧＳＭネットワーク用ＳＩＭスマートカード、ＵＭＴＳネットワーク用ＵＳＩＭ（Universal Subscriber Identity Module）、ＣＤＭＡ（Code Division Multiple Access）ネットワーク用ＲＵＩＭ（Removable User Identity Module）及び／又はＣＳＩＭ（CDMA Subscriber Identity Module）であってもよい。もちろん、前述のリストは網羅的なものではない。
しかし、このリストは例示を目的としており、本発明の範囲を減ずるものではない。
【００１７】
トークンは、ＳＩＭ型スマートカードに代えて、例えば、スマートＵＳＢドングル（ホストコンピュータ内に特定のリーダを必要としない）、ＭＭＣ（Multi Media Card）、ＳＤ（Secure Digital）カード等の大容量カード、及び／又はその他の異なるフォームファクタを用いる電子メディアであってもよい。さらにまた、トークンは取り外し可能な方法でホストコンピュータに固定されたチップ、又は端末であるホストコンピュータ内にはんだ付けされたチップであってもよい。
さらに、端末は、携帯電話に代えて、パーソナルコンピュータ、デスクトップコンピュータ、ラップトップコンピュータ、及び／又はＰＤＡであってもよい。
【００１８】
図１は特に移動体装置アセンブリである電子システム１０を示す。
電子システム１０は、ユーザデバイスである携帯電話１２と、携帯電話１２に接続され携帯電話１２と協働するＳＩＭ型スマートカード１４とからなる。
簡潔にするため、携帯電話１２とＳＩＭ型スマートカード１４は、これ以降、電話機１２とカード１４と表記する。
【００１９】
電話機１２は、例えばペン又は電話ユーザの指が接触することによって作動する少なくとも１つのタッチ画面を含む。
例えば、電話機１２はタッチディスプレイ画面１１２を備える。
他の実施例によれば、電話機１２はタッチパッドを備える。
また、他の実施例によれば、電話機１２は少なくとも１つのタッチディスプレイ画面と少なくとも１つのタッチパッドを備える。
電話機１２は、データ処理手段として、少なくとも１つのマイクロプロセッサ、揮発性及び不揮発性メモリ、データ及びコントロールバス（図示せず）を介してリンクされた少なくとも２つのＩ／Ｏインターフェース含む。
【００２０】
マイクロプロセッサは、電話機１２内のデータ、及び／又は、電話機１２の外部と交換されるデータを処理し制御する。マイクロプロセッサは、電話機１２のＩ／Ｏインターフェース等の全てのコンポーネントを制御し、全てのコンポーネントと通信する。
メモリは、特にオペレーティングシステムと電話機１２にサポートされているアプリケーションに関連するデータを格納する。
メモリはまた、数個の入力タッチパターンに関する情報を格納する。
【００２１】
Ｉ／Ｏインターフェースは、ＩＳＯ（International Standard Organization）７８１６規格の接触インターフェース（図示せず）をＩ／Ｏインターフェースの一つとして含み、カード１４と交信する。接触インターフェースは、電話機１２を双方向リンク１３を介してカード１４と通信させるためのものである。
本発明によれば、電話機１２は、数個の入力タッチパターンを解釈するように構成されており、入力タッチパターンの少なくともいくつかは、カード１４にサポートされている、又はカード１４を介してトリガされる複数のアプリケーションに関連する。
【００２２】
例えば、電話機１２のセットアップの間、カード１４は、入力タッチパターンのセットと、ユーザが高感度タッチ画面を介してアクセス可能ないくつかのアプリケーションに関する関連するコマンドのセットとを、送信する。したがって、ユーザが高感度タッチ画面上で、カード１４に関連し、電話機１２に提供された入力タッチパターンのうちの１つを描画すると、電話機１２は、対応するコマンドを取得し、一致するコマンドをカード１４に送信する。
電話機１２は、ＡＰＤＵ（Application Protocol Data Unit）によって、カード１４とデータを通信するように構成されている。
電話機１２は、他のＩ／Ｏインターフェースとして、無線（ＯＴＡ）で、長距離無線周波数双方向リンク１５を経由し、セルラー通信ネットワーク１６を介して、モバイルネットワークサーバ１８と通信するための第１アンテナ１１を有する。
【００２３】
セルラー通信ネットワーク１６は、例えば、ケーブルを介し、双方向リンク１７を経由してモバイルネットワークサーバ１８に接続されている。セルラー通信ネットワーク１６は、２Ｇ（second generation network。例えば、ＧＳＭ：Global System for Mobile communications）、３Ｇ（third generation network。例えば、ＵＭＴＳ：Universal Mobile Telephone System）、及び／又は、ＣＤＭＡ（Code Division Multiple Access）通信モード等の少なくとも１つの通信モードを実行するように構成されている。
電話機１２はモバイルネットワークサーバ１８と通信するための機能を有することが望ましい。
【００２４】
モバイルネットワークサーバ１８は、通常バックエンドＯＴＡシステムとして知られるシステムによって構成されるシステムのエンティティ内に統合されている。モバイルネットワークサーバ１８は直接又は間接的に通信オペレータによって制御される。
カード１４から、及び／又はカード１４を介してユーザと交信するために、電話機１２はカード１４がマスタ、電話機１２がスレーブとして動作するＳＩＭツールキット（ＳＴＫ）機能を実行する機能を有する。
したがって、電話機１２は、例えば、「Display text」、「Set-up menu」、「Select menu」、「Get-inkey」、「Get-input」等のユーザオペレーションを含むカード１４からの事前コマンドを解釈するように構成されている。
【００２５】
電話マイクロプロセッサはまた、表示されたアプリケーションのうちの一つが選択されると、カード１４による選択されたアプリケーションの実行開始のためのコマンドを、複数の選択肢及び／又はユーザによって入力されたデータとともに、カード１４に返信するように構成されている。
ユーザは、暗証番号（ＰＩＮ）等のデータを、キーボード１９とタッチディスプレイ画面１１２からなる電話機のマンマシンインターフェースを介して入力する。
カード１４は電話機１２に挿入される。
カード１４はチップ１１０を含む。チップ１１０の詳細は図２に記載されている。
チップ１１０は、双方向リンク１３を経由し、ＩＳＯ７８１６規格の接触インターフェースを介して、電話機１２と通信する。
【００２６】
好ましい実施形態によれば、接触インターフェースは、電話機１２と通信し、カード１４に埋め込まれたサーバ（Smart Card Web server 又は SCWSとも表記する）内に統合された１つ又はいくつかのアプリケーションにアクセスすることを目的として、ＳＷＰを実行するために使用される、接触パッドを含む。カード１４に埋め込まれたサーバは、これ以降カードサーバと表記する。
ユーザと交信するために、電話機１２又はカード１４に埋め込まれたウェブブラウザを経由し、カード１４を介して少なくとも複数のアプリケーションがアクセス可能である。
【００２７】
本発明によれば、電話機１２は、入力タッチパターンと、カード１４からアクセス可能なアプリケーションのセットの表示、あるいは、カード１４にサポートされている、又はカード１４からトリガ可能な少なくとも１つのアプリケーションに関連する所定の入力タッチパターンのリストとを比較するように構成されている。ユーザが、カード１４に関連する登録された入力タッチパターンを入力すると、電話機１２はそれを認識し、カード１４によってサポートされている、又はカード１４から又はカード１４を介してアクセス可能なアプリケーションのセットの表示をカード１４に要求するためのコマンド、あるいは、カード１４からアクセス可能なアプリケーションの実行を直接トリガするためのコマンドを送信するように構成されている。そのようなコマンドは一致する所定の入力タッチパターンに関連付けられている。
【００２８】
タッチディスプレイ画面１１２で電話ユーザが特定のタッチ入力パターンを描画すると、カード１４からアクセス可能なアプリケーションのセット又は、カード１４にサポートされている少なくとも１つのアプリケーションがタッチディスプレイ画面１１２上に表示される。例えば、ＳＩＭツールキットメニュー等の、カード１４内にインストールされている又はカード１４から又はカード１４を介してアクセス可能なサービス（又はアプリケーション）の完全なリストにアクセスするために、電話ユーザは「Ｓ」を描画する。
【００２９】
リストに含まれるアプリケーションが、カード１４から又はカード１４を介してアクセス可能であるが、カード１４にサポートされていない場合、アプリケーションは、アプリケーション（Java（登録商標）アプリケーションの場合はmidletと呼ばれる）を格納している電話機１２、又は、電話機１２に接続されたモバイルネットワークサーバ１８のような外部サーバ等のリモート・ロケーションによって実行される。
本発明によれば、電話ユーザは、タッチディスプレイ画面１１２上で特定の入力タッチパターンを描画するだけで、カード１４から又はカード１４を介してアクセス可能な又はカード１４にサポートされているアプリケーションの実行を開始できる。例えば、電話ユーザは「Ｐ」を描画すると、カード１４内にインストールされている、又は、カード１４から又はカード１４を介してアクセス可能なカードメニューに含まれる、支払アプリケーション等のアプリケーションをトリガすることができる。
【００３０】
カード１４によってサポートされているアプリケーションのうち、チップ１１０によってサポートされている支払アプリケーションが存在してもよい。チップ１１０は、ＳＷＰ用接触パッドと電話機１２に付属している第２アンテナ１１１とを介して、電子支払端末（図示せず）と協働する。カード１４は支払アプリケーションをサポートできるので、カード１４は電子支払端末のデビット支払カードとして動作すると考えられる。電話アンテナ１１１を介してカード１４とアンテナを備えた電子支払端末とを通信させるために、ユーザは、電話機１２を持って電子支払端末の近くに来る必要がある。
【００３１】
他の実施形態によれば、ＳＷＰ用接触パッドを介した支払アプリケーションへのアクセスに代えて、ＩＳＯ７８１６接触インターフェースを経由して支払アプリケーションにアクセスする。
また、他の実施形態によれば、電話機１２の第２アンテナ１１１を介した電子支払端末との通信のためのＳＷＰ用接触パッドに代えて、カード１４はアンテナ（図示せず）を備える。
さらに他の実施形態によれば、接触インターフェースに代えて、カード１４と電話機１２は、非接触インターフェースであるＢｌｕｅｔｏｏｔｈ（登録商標）又はＷｉｆｉ（登録商標）リンク等の短距離無線リンクを介して、互いに接続される。
【００３２】
タッチディスプレイ画面１１２上での描画によって選択されるアプリケーションは、機能のような、タッチディスプレイ画面１１２を介して表示される間にユーザが要求したアクションの進捗を知らせるためにユーザインタラクションを必要としないアクションであってもよい。そのような機能は、チップ１１０内に格納されたデータを使用する認証機能、及び／又は電子署名機能であってもよい。
電話のタッチ画面１１２を介してユーザによって選択されるアプリケーションは、カード１４のみに埋め込まれたどのアプリケーションであってもよい。選択されるアプリケーションは、事前に個人化処理を含むカード１４の製造工程でロードされるか、あるいは、モバイルネットワークサーバ１８からダウンロードされ、カード１４に格納される。
【００３３】
選択されるアプリケーションは、１つ又は複数のオペレーションとして、支払い、トランザクション、ロイヤルティ、他のアプリケーションへのアクセス、及び／又は、カード１４及び／又は電話機１２に格納されたデータ、賭け、及び／又は、調査を含んでもよい。カード１４にインストールされた支払アプリケーションは、例えば、モバイルネットワークサーバ１８を利用するオフライントランザクション又はオンライントランザクションからなる。
選択されたアプリケーションがトリガされると、ユーザとインタラクトするために、カード１４のチップ１１０は、電話タッチディスプレイ画面１１２を介して少なくとも一部がカード１４によってサポートされたリストをカードの権限で提供するための、事前コマンドのような電話機１２に送信されるコマンドを使用するように構成されてもよい。コマンドは表示されるべきアプリケーションのリストを伴うことが望ましい。
【００３４】
電話タッチディスプレイ画面１１２を介して与えられるユーザの選択に従い、各アプリケーションに対して、１つ又は複数の項目が提供され、ユーザによって選択される。
さらに、選択した個人データを表示して、実行される選択されたアプリケーションを個人化するために、ユーザはいくつかの選択されたアプリケーションに対してデータを入力することができる。
【００３５】
したがって、カード１４にサポートされている一つ又は複数のアプリケーションへのアクセスは、電話タッチディスプレイ画面１１２に表示されるポップアップウィンドウを介し、メニューを経由して、ユーザとのインタラクションを提供することができる。ユーザは、タッチディスプレイ画面１１２を介して、ポップアップウィンドウに表示されるアプリケーションのうちの１つを選択できる。
【００３６】
カード１４は、ユーザの個人データ及び／又は選択とともに表示されているサービスのうちの１つの選択されたサービスに関連する他のアプリケーションの実行をトリガするための、電話機１２から発せられる他のコマンドを受信することができる。
対応する選択されたアプリケーションを完全に実行するために、カード１４は、少なくとも一部で、モバイルネットワークサーバ１８、電子支払端末（図示せず）、及び／又は、他のいくつかの外部エンティティと関連づけられてもよい。
モバイルネットワークサーバ１８を関連づけるために、カード１４は、電話機１２を介して、選択されたアプリケーションを更に実行することをモバイルネットワークサーバ１８に許可する要求を送信する。
【００３７】
ユーザは、カード１４から及び／又はカード１４を介して、アプリケーションに容易にアクセスできる。実行されるアプリケーションの一部は、カード１４に加えて、バックエンドＯＴＡシステム内に格納されている。また、モバイルネットワークサーバ１８は、選択されたアプリケーションを実行するために関連付けられてもよい。
選択されたアプリケーションはカード１４によって格納され、実行される。
【００３８】
図２は、少なくとも一部がカード１４によってサポートされているアプリケーション又はアプリケーションのリストとインタラクトするためにユーザが使用するホスト端末である電話機１２と協働する、カード１４のチップ１１０内に組み込まれているコンポーネントを概略的に示す。
チップ１１０は、データ処理手段として、少なくとも１つのマイクロプロセッサ２２と、揮発性及び不揮発性メモリ２４と、データを介して共にリンクされた少なくとも１つのＩ／Ｏインターフェース２６と、コントロール内部バス２３とからなる。
【００３９】
Ｉ／Ｏインターフェース２６はカード１４の外部、すなわち、少なくとも電話機１２と、又は、電話機１２を介して電子支払端末、及び／又は、モバイルネットワークサーバ１８とデータを交換するために使用される。
マイクロプロセッサ２２は、特にカードメモリ２４に格納されたあらゆるアプリケーションを実行する。
マイクロプロセッサ２２は、読み出し又は書き込みが行われるメモリ２４のような、カード１４の全てのコンポーネントを制御し、全てのコンポーネントと通信する。
【００４０】
メモリ２４はデータ、特にオペレーティングシステムとＳＩＭツールキットアプリケーションに関連するデータと、電話帳、連絡先、eメール、及び／又は、システム手帳に関連するデータを格納する。
メモリ２４は、１つ又は複数のＥＥＰＲＯＭ（Electrically Erasable Programmable Read-Only Memory）、１つ又は複数のＲＯＭ（Read Only Memory）、１つ又は複数のフラッシュメモリ、及び／又は、１つ又は複数のＲＡＭ（Random Access Memory）のような他の異なる種類のメモリで構成されてもよい。
メモリ２４は、カード１４の外部、例えば、電話機１２から出ているデータによって、Ｉ／Ｏインターフェース２６を介して、より正確には、カード１４にサポートされている又はカード１４によってトリガされる各アプリケーションに特定の入力タッチパターンによって動作する、複数のアプリケーションに関するデータを格納する。
【００４１】
アプリケーションは、電話機１２とそのユーザとインタラクトするために、電話機１２とデータを交換することによってデータを処理する。
メモリ２４は、好適には、高感度接触面上で電話ユーザによって描画され、電話機１２によって認識される各入力タッチパターンに関するデータを格納する。
各入力タッチパターンはカード１４の個人化の間（すなわち、好適には製造過程の最後）にロードされるか、モバイルネットワークサーバ１８のような外部サーバからダウンロードされるか、電話機１２のようなホストデバイスを用いてユーザがカード１４を手にした時に設定されてもよい。
メモリ２４は、好適には、高感度接触面上で電話ユーザによって描画され、電話機１２によって認識される各入力タッチパターンに対する、電話機１２から受信するコマンドに関するデータを格納する。
【００４２】
カード１４のチップ１１０は、Ｉ／Ｏインターフェース２６を介して、外部から、カード１４のチップ１１０からトリガできる全てのアプリケーションの表示を要求するためのコマンドを受信するように構成されている。より正確には、カード１４のチップ１１０は、そのようなコマンドを受信すると、チップ１１０がサポートしているアプリケーションを表示することをホストデバイスに要求するための別のコマンドを生成するように構成されている。この別のコマンドはチップ１１０によってホストデバイスに送信される。
【００４３】
同じく、カード１４のチップ１１０は、Ｉ／Ｏインターフェース２６を介して、外部から、カード１４のチップ１１０からのアプリケーションの実行をトリガするためのコマンドを受信するように構成されている。より正確には、カード１４のチップ１１０は、そのようなコマンドを受信すると、チップ１１０がサポートする対象のアプリケーションを実行するように構成されている。カード１４のチップ１１０は、別のコマンドを他のエンティティに送信することによって、ホストのような他のエンティティと関連付けられてもよい。
【００４４】
各コマンドはカード１４の個人化の間（すなわち、好適には製造過程の最後）にロードされるか、モバイルネットワークサーバ１８のような外部サーバからダウンロードされてもよい。
カード１４から少なくとも１つのアクションをトリガするために、カード１４のチップ１１０は、優先的に、電話機１２によってカード１４に送信される全ての予め定められた入力タッチパターン及び対応するコマンドを、ホストデバイスである電話機１２に提供するように構成される。
【００４５】
メモリ２４はまた、カード１４によって調査される少なくとも１つのイベントステータスに関するデータを格納する。イベントステータスは時間であってもよい。イベントステータスはサービスが利用可能かどうかについてのカード１４による確認をトリガするために使用される。
メモリ２４は、ＰＩＮ、及び／又は、キー等の認証情報を含んでもよい。認証情報は、ユーザを認証するために、モバイルネットワークサーバ１８、及び／又は、外部から受信したデータを使用してモバイルネットワークサーバ１８のような外部に送信される署名データの前に使用されてもよい。
メモリ２４は少なくとも１つのセキュリティ機能、デジタル署名、ユーザ識別、ユーザ認証、オンボードキー生成、及び／又は、オンライントランザクションのための安全な交換を提供する少なくとも１つのアプリケーションを格納してもよい。
【００４６】
カード１４によって、ユーザ・フレンドリな携帯電子媒体が得られる。ユーザは、ホストデバイスのタッチ面を介して、カード１４にサポートされている、又は、カード１４から、又は、カード１４を介して開始されるアプリケーションのリストにアクセスでき、及び／又は、各アプリケーションが特定の入力タッチパターンによってトリガされる少なくともいくつかのアプリケーションに直接アクセスできるためである。
したがって、カード１４にサポートされているアプリケーションとユーザとの間のインタラクションは容易である。実際、ユーザは電話機１２を介して提供されたアプリケーションのリストをブラウズする必要も、カード１４から開始される１つのアプリケーション又はアプリケーションのセットにアクセスするためのキーのシーケンスを覚える必要もない。
カード１４のチップ１１０にサポートされている各関係するアプリケーションは、ＳＩＭツールキット（ＳＴＫ）メニュー、カードサーバを介してアクセス可能なアプリケーションのリスト、及び／又は、モバイルネットワークサーバ１８のような外部サーバを介してアクセス可能なアプリケーションのリストに含まれてもよい。
【００４７】
図３は、電話機１２とカード１４とを含むメッセージフロー３０の一例である。電話機１２とカード１４の間のメッセージの交換によって、電話機１２の設定が行われる。電話の設定によって、カード１４を介して又はカード１４から提供された少なくとも１つのサービス、すなわち、例えばＳＴＫアプリケーション（又はＳＴＫメニューとも呼ぶ）等のサービスのリストに関連する第１レベルに、ユーザが直接アクセスすることが可能になる。
電話機１２又はカード１４が、他のエンティティ、つまりそれぞれカード１４又は電話機１２との接続を検出したと仮定する。
【００４８】
電話機１２は、特にタッチディスプレイ画面１１２からなる電話機１２の装備についての情報を含む、いわゆる“ＴＥＲＭＩＮＡＬ  ＰＲＯＦＩＬＥ”のようなコマンド３２を、カード１４に送信する。電話機１２はこのように、電話機１２がサポートするＳＴＫコマンドに加えて、少なくとも１つのタッチ画面に関する電話の機能をカード１４に知らせる。カード１４は、電話機１２が、電子的接触によって、タッチディスプレイ画面１１２上で描画されるタッチパターンを、検出して分析できることを知る。
少なくとも１つのタッチ画面に関する電話の機能についてのコマンドを受信すると、カード１４は作動して、ホストに予め定められた入力タッチパターンを提供できることを知る。予め定められた入力タッチパターンが電話機１２に認識されると、ユーザは、ＳＴＫアプリケーションのメニューに関する第１レベルにアクセスする。
【００４９】
ＳＴＫアプリケーションのメニューに関する第１レベルにアクセスするために、カード１４は、“ＳＥＴ−ＵＰ  ＭＥＮＵ  ＣＯＭＭＡＮＤ”のような、カード１４からアクセス可能な少なくとも１つのアプリケーションのセットの表示を要求するためのコマンドを格納する（又は、そのようなコマンドにアクセスする）。カード１４は、電話機１２に、カード１４からアクセス可能な少なくとも１つのアプリケーションのセットの表示を要求するためのコマンドを送信する可能性が高い。カード１４からアクセス可能な少なくとも１つのアプリケーションのセットの表示を要求するためのコマンドは、カード１４内に格納された予め定められた関連する入力タッチパターンを伴うことが望ましい。
【００５０】
そして、カード１４は、電話機１２に、“９１ＸＸ”のような、カード１４は電話機１２が利用可能な１６進数で“ＸＸ”と同じ長さのいくつかのデータを持っていることを意味する、データ３４を送信する。
電話機１２は、カード１４によって送信されたデータ３４を受信し、解釈すると、カード１４からアクセス可能な少なくとも１つのアプリケーションのセット及び対応する入力タッチパターンの表示を要求するためのコマンドを受信するための、“ＦＥＴＣＨ  ＳＥＴ−ＵＰ  ＭＥＮＵ  ＣＯＭＭＡＮＤ”のようなコマンド３６を、カード１４に送信する。
そして、カード１４は、電話機１２に、カード１４が、カード１４からアクセス可能な少なくとも１つのアプリケーションのセットの表示を要求するためのコマンドを受信するためのコマンド３６を受信し、適切に解釈したことを意味する、“９０００”のような、データ３８を送信する。
【００５１】
カード１４は、電話機１２にシングルメッセージ３１０を送信する。シングルメッセージ３１０は、カード１４からアクセス可能な少なくとも１つのアプリケーションのセットと予め定められた関連する入力タッチパターンの表示を要求するためのコマンドを含む。カード１４からアクセス可能な少なくとも１つのアプリケーションのセットの表示を要求するためのコマンドは、電話機１２が予め定められた関連する入力タッチパターンを検出するとすぐに、電話機１２からカード１４に送信される。
他の実施形態によれば、カード１４は、カード１４からアクセス可能な少なくとも１つのアプリケーションのセットの表示を要求するためのコマンドの後に、いくつかのメッセージによって、カード１４からアクセス可能な少なくとも１つのアプリケーションのセットの表示を要求するためのコマンドに関連する予め定められた入力タッチパターンを電話機１２に送信する。
【００５２】
設定されると、電話機１２は、取得される予め定められた入力タッチパターンのリストについてのあらゆる入力タッチパターンを分析する。
電話機１２は、ユーザが入力タッチパターンを描画したことを検出し、描画された入力タッチパターンと、カード１４に対する少なくとも１つのコマンドに関連する予め定められた入力タッチパターンとを比較する。
入力された入力タッチパターンと、カード１４からアクセス可能な少なくとも１つのアプリケーションのセットの表示を要求するためのコマンドに関連する予め定められた入力タッチパターンとが一致する場合、電話機１２は、カード１４に、カード１４からアクセス可能な少なくとも１つのアプリケーションのセットの表示を要求するためのコマンド３１２を送信する。
【００５３】
カード１４からアクセス可能な少なくとも１つのアプリケーションのセットの表示を要求するためのコマンド３１２の受信と解釈の後、カード１４は、電話機１２に、対応する事前コマンドのような、電話機１２がユーザにカード１４にサポートされている又はカード１４からトリガ可能な全てのアプリケーションに関するメニューを表示するように要求するための、別のコマンド３１４を送信する。
電話機１２がユーザにメニューを表示すると、電話機１２はカード１４に、“ＴＥＲＭＩＮＡＬ  ＲＥＳＰＯＮＳＥ”のような、表示されたメニュー項目のうちの１つの選択されたメニュー項目として、カード１４からアクセス可能なアプリケーションの実行をトリガするためのコマンドを、ユーザによって選択されたサービスとともに返信する（図示せず）。そして、カード１４は、対象のアプリケーションを実行する。又は、カード１４は、外部エンティティが対象のアプリケーションを実行するためのコマンドを、電話機１２に、又は電話機１２を介して、又はカード１４に直接接続可能な他の外部エンティティ（カード１４に無線リンクされた端末等）に、送信する。
【００５４】
図４は、電話機１２とカード１４に関連するメッセージフロー４０の別の一例である。電話機１２とカード１４の間のメッセージの交換によって、電話機１２の設定が行われる。電話の設定によって、カード１４を介して、又は、カード１４から提供された１つのサービス、すなわち、例えばいくつかのＳＴＫアプリケーションのうちの１つのＳＴＫアプリケーションに関連する第２レベルに、ユーザが直接アクセスすることが可能となる。
電話機１２又はカード１４が、他のエンティティ、つまりそれぞれカード１４又は電話機１２との接続を検出したと仮定する。
【００５５】
電話機１２はカード１４に、特にタッチディスプレイ画面１１２を備えた電話機１２の装備についての情報を含む、いわゆる“ＴＥＲＭＩＮＡＬ  ＰＲＯＦＩＬＥ（端末プロファイル）”のようなコマンド４２を送信する。カード１４は、電話機１２が電子的接触によって、タッチディスプレイ画面１１２上で描画されるタッチパターンを検出して分析することができることを知る。
少なくとも１つのタッチ画面に関する電話の機能についてのコマンドを受信すると、カード１４は作動して、カード１４から又はカード１４を介して提供されたサービスに関する少なくとも１つの予め定められた入力タッチパターンをホストに提供することができることがわかる。
【００５６】
そして、カード１４は、電話機１２に、“９１ＸＸ”のような、カード１４は電話機１２が利用可能な１６進数で“ＸＸ”と同じ長さのいくつかのデータを持っていることを意味する、データ４４を送信する。
カード１４は、スポーツの試合中継をフォローするためのラグビー等のスポーツに関するサーバの自動呼出しのような、カード１４から又はカード１４を介してアクセス可能なアプリケーションの実行を開始するためのコマンドを格納する（又はコマンドにアクセスする）。カード１４は、ユーザによって選択されたカード１４からアクセス可能なアプリケーションを実行するためのコマンドを、電話機１２に送信する可能性がある。カード１４からアクセス可能な選択されたアプリケーションを実行するためのコマンドは、「Ｒ」（Ｒｕｇｂｙの省略）のような、好ましくはカード１４内に格納された予め定められた関連する入力タッチパターンを伴うことが望ましい。
【００５７】
電話機１２は、カード１４によって送信されたデータ４４を受信し解釈すると、カード１４に、カード１４から又はカード１４を介してアクセス可能なアプリケーションの実行と対応する入力タッチパターンを要求するためのコマンドを受信するための“ＦＥＴＣＨ  ＣＯＭＭＡＮＤ”のような、コマンド４６を送信する。
そして、カード１４は、電話機１２に、カード１４がカード１４から又はカード１４を介してアクセス可能なアプリケーションの実行と対応する入力タッチパターンを要求するためのコマンド４６を受信し、適切に解釈したことを意味する、“９０００”のようなデータ４８を送信する。
カード１４は、電話機１２にシングルメッセージ４１０を送信する。シングルメッセージ４１０は、カード１４がカード１４から又はカード１４を介してアクセス可能なアプリケーションの実行と予め定められた関連する入力タッチパターンを要求するためのコマンドを含む。カード１４から又はカード１４を介してアクセス可能なアプリケーションの実行を要求するためのコマンドは、電話機１２が予め定められた関連する入力タッチパターンを検出するとすぐに、電話機１２からカード１４に送信される。
【００５８】
予め定められた関連する入力タッチパターンが電話機１２によって認識されると、ユーザは、例えばＳＴＫに関連するアプリケーションのうちの１つに直接アクセスする。これを可能にするため、予め定められた関連する入力タッチパターンが電話機１２によって認識されると、電話機１２はカード１４に、カード１４から又はカード１４を介してアクセス可能な選択されたアプリケーションを実行するためのコマンドを送信する。
カード１４によって設定されると、電話機１２は入力タッチパターンを検出し、カード１４から又はカード１４を介してアクセス可能なアプリケーションの実行のトリガに関する少なくとも１つの予め定められた関連する入力タッチパターンと比較する。入力された入力タッチパターンが予め定められた関連する入力タッチパターンと一致する場合、電話機１２は、カード１４から又はカード１４を介してアクセス可能な選択されたアプリケーションを実行するためのコマンドをカード１４に送信する。
【００５９】
例えば、（提供された入力タッチパターンのうちの少なくともいくつかとの比較の後）電話機１２が“Ｒ”を検出すると、電話機１２は、カード１４から又はカード１４を介してアクセス可能な選択されたアプリケーションを実行するためのコマンド４１２を、カード１４に送信する。カード１４は、カード１４から又はカード１４を介してアクセス可能な選択されたアプリケーションを実行するためのコマンド４１２を受信し解釈すると、関連するアプリケーションを起動することによって対象のアプリケーションを作動させる。
【００６０】
この場合、カード１４は、電話機１２を介して接続されるサーバ１８のような外部サーバと接続するための対応するアプリケーションを実行する。サーバに接続するために、カード１４は、アドレスされたサーバに接続するためのコマンド４１４を、電話機１２に送信する。コマンド４１４は、サーバによって管理されているスポーツのうちの特定のスポーツに関するデータ、及び／又は、中継でフォローされる特定の試合に関するデータ等の、要求された提供されるべきサービスに関するデータを伴ってもよい。
アドレスされたサーバに接続するためのコマンド４１４は、電話機１２にアドレスされたサーバとの接続セッションを開始させる。
【００６１】
アドレスされたサーバは、関連付けられ、カード１４によってトリガされるアプリケーションの一部を実行するように要求される。
接続セッションの開始に続いて、応答型のサーバは、コマンドを処理し、例えばラグビーの試合の現在の得点からなる、ユーザからの要求に加えて検討されるべき応答を、電話機１２に返信する。そのような例によれば、サービスは２つのチームの得点の経過を中継でフォローするためにユーザが選択する、ラグビーの試合のフォローアップである。
【００６２】
電話機１２は、その後、対応する応答４１６をカード１４に送信する。
最後に、カード１４は、応答４１６を受信した後、応答４１６を処理し、アプリケーションの実行の成功又は不成功、結果として生じた応答、及び／又は、アプリケーションの実行の結果に関する情報の少なくとも一つを表示するためのコマンド４１８を電話機１２に返信する。
【００６３】
図５は、カード１４から又はカード１４を介して提供された１つのサービス又はサービスのセットにアクセスするための本発明の方法５０の例示的な実施形態を示す。
この方法５０は、一実施形態においてさらに説明される異なる段階を含む。一実施形態においては、カード１４が電話機１２から、カード１４の主導による電話のタッチディスプレイ画面上での利用可能なサービスの表示を要求するための、又はカード１４のみにサポートされているアプリケーションの実行をトリガするための、指定された入力タッチパターンに対応するコマンドを受信した時点で、事前機構が使用されてもよい。
しかし、他の実施形態によれば、外部サーバのような外部エンティティはさらにカード１４が発するコマンドに関連し、要求されたアプリケーションの少なくとも一部を実行する。
周知であるが、事前機構は、カード１４によるアプリケーションの実行に関連する少なくとも１つのＳＴＫアプリケーションを管理するために、カード１４によって起動されるＳＴＫコマンドの使用を許可する。
【００６４】
第１に、電話機１２に電源が投入され、（電話機１２からの電源によって）カード１４にも電源が投入される（ステップ５２）。
そして、電話機１２は、特に、電話機１２がサポートし、電話機１２内に含まれる（又は短距離無線を介して電話機１２にリンクされたタッチディスプレイ画面１２のような）少なくとも１つのタッチ画面に関連する事前コマンドに関しての自身の機能を示すメッセージを、カード１４に送信する（ステップ５４）。
カード１４はしたがって、ＳＴＫコマンドを使用して電話機１２と通信できる。
カード１４はしたがって、電話機１２によって検出される少なくとも１つの入力タッチパターンと、電話機１２からカード１４に送信される少なくとも１つの対応する関連するコマンドを電話機１２に提供できる。
【００６５】
初期化（又は設定）段階において（ステップ５６）、カード１４は、カード１４からアクセス可能な少なくとも１つのアプリケーションのセットの表示を要求するためのコマンド、及び／又は、カード１４からアクセス可能なアプリケーションの実行をトリガするコマンドに関するデータを、好適には各関連する入力タッチパターンとともに、電話機１２に送信する。入力タッチパターンは、例えば、カード１４からアクセス可能な少なくとも１つのアプリケーションのセットの表示のための“Ｄ”、及び／又は、そのようなアプリケーションがカード１４自体にサポートされていると仮定した場合のカード１４に格納された電話帳の表示の開始のための“Ｐ”がありうる。
電話機１２は、カード１４に送信されるコマンドに関連する入力タッチパターンを知ると、関連する入力タッチパターンのうちの１つとの一致を検出する可能性が高い。
【００６６】
そして、電話機１２は、ユーザがタッチディスプレイ画面１１２のようなタッチ画面上で描画して入力タッチパターンを入力したかどうかを分析する（ステップ５８）。
ユーザがどのような入力タッチパターンも入力しない場合、電話機１２はユーザが入力タッチパターンを入力したかどうかを分析し続ける（ステップ５８）。
反対に、つまり、ユーザが入力タッチパターンを入力した場合、電話機１２は入力された入力タッチパターンがカード１４からアクセス可能な少なくとも１つのアプリケーションのセットの表示の要求に関する入力タッチパターンと一致しているかを確認する（ステップ５１０）。
【００６７】
入力された入力タッチパターンが、カード１４からアクセス可能な少なくとも１つのアプリケーションのセットの表示を要求するためのコマンドとペアになっている入力タッチパターンに対応する場合、電話機１２は、カード１４に関するメニューの表示を要求するためのコマンドを、カード１４に送信する（ステップ５１２）。
カード１４は、カード１４から又はカード１４を介してアクセス可能なアプリケーションの表示を要求するためのコマンドを受信し分析すると、“display menu”のような、提供されるサービスの少なくとも１つのリストを表示するための事前コマンド等の、カード１４によって提供されるメニュー項目を表示するためのコマンドを、電話機１２に返信する（ステップ５１４）。
【００６８】
電話機１２は、カード１４によって提供されるメニュー項目を表示するためのコマンドを受信し解釈すると、タッチディスプレイ画面１１２を用いて、カード１４からアクセス可能な各サービスの情報の少なくとも１つを表示するウィンドウを表示する。
ステップ５１４が実行された後は、電話機１２がユーザがタッチ画面上で描画して入力タッチパターンを入力したかどうかを分析する、ステップ５８に戻る。
入力された入力タッチパターンが、カード１４からアクセス可能な少なくとも１つのアプリケーションのセットの表示を要求するためのコマンドとペアになっている入力タッチパターンに対応しない場合、電話機１２は、入力された入力タッチパターンがカード１４からアクセス可能な１つのアプリケーションの実行をトリガするための要求に関する入力タッチパターンと一致するかどうか確認する（ステップ５１６）。
【００６９】
他の実施形態（図示せず）によれば、入力された入力タッチパターンがカード１４からアクセス可能な少なくとも１つのアプリケーションのセットの表示の要求と一致するかを電話機１２が確認するステップ５１０と、入力された入力タッチパターンがカード１４からアクセス可能な１つのアプリケーションの実行をトリガするための要求と一致するかを電話機１２が確認するステップ５１６とは、入れ替わる。つまり、ユーザが入力タッチパターンを入力すると、電話機１２は、まず入力された入力タッチパターンがカード１４からアクセス可能な１つのアプリケーションの実行をトリガするための要求と一致しているかを確認し、一致していない場合、電話機１２は入力された入力タッチパターンがカード１４から管理されるメニューの表示のための要求と一致しているかを確認する。
【００７０】
カード１４の関与に関する予め定められた入力タッチパターンとの比較の後、電話機１２がカード１４の関与に関する予め定められた入力タッチパターンとの一致を検出しない場合、電話機１２がユーザがタッチ画面上で描画して入力タッチパターンを入力したかを分析するステップ５８に戻る。
電話機１２は、入力された入力タッチパターンが、カード１４からアクセス可能なアプリケーションの実行をトリガするための要求に関する入力タッチパターンと一致することを検出した場合、カード１４にサポートされている１つのアプリケーションの実行をトリガするためのコマンドを、カード１４に送信する（ステップ５１８）。
【００７１】
カード１４は、カード１４にサポートされている１つのアプリケーションの実行をトリガするためのコマンドを受信し、カード１４内に格納された対象のアプリケーションの実行をトリガする。対象のアプリケーションの実行は、対応する要求を、電話機１２を介して外部エンティティに送信することによって、外部エンティティを含んでもよい。外部エンティティは、電話機１２を介して、対応する結果の応答を、カード１４に返信する。
オプションとして、カード１４は、アプリケーションの実行の成功、不成功に関する情報の少なくとも１つ、及び／又は、例えばカード１４内に格納された電話帳を表示するウィンドウ等の、アプリケーションの実行の結果を表示するための事前コマンドを、電話機１２に送信する（ステップ５２０）。
【００７２】
最後に、電話機１２は、提案されたサービスの実行のためのコマンドをカード１４に送信すると、ユーザがタッチ画面上で描画して入力タッチパターンを入力したかどうかを分析する（ステップ５８）。
記載された発明の方法によれば、カード１４内に格納されたアプリケーション又は（少なくとも一部が）カード１４によってサポートされているサービスのリストに直接アクセスすることによって、電話のユーザとカード１４との双方向性のレベルを向上することができる。
【図１】
0005337254.tif 000002
【図２】
0005337254.tif 000003
【図３】
0005337254.tif 000004
【図４】
0005337254.tif 000005
【図５】
0005337254.tif 000006